(57)【特許請求の範囲】
【請求項１】
オゾン水を用いて消毒対象物の消毒が行われる消毒槽と、
前記消毒槽に供給される前記オゾン水を生成するための原水を、設定温度以下に調整する水温調整機構と、
を有しており、
前記水温調整機構は、
前記設定温度よりも低温となるように冷却された冷水を貯留する冷水タンクと、
外部から供給される供給水と前記冷水タンクから供給される前記冷水を混合して、前記設定温度以下に調整された前記原水を生成する混合器と、
前記供給水を前記設定温度よりも低温となるように冷却して前記冷水を生成するチラーと、を備えており、
さらに、
前記冷水を生成するために用いる前記供給水をろ過する第１フィルタと、
前記混合器に供給される前記供給水をろ過する第２フィルタと、
を備えており、
前記第１フィルタは前記第２フィルタに比べてろ過能力が高いことを特徴とするオゾン水消毒機。
【請求項２】
オゾン水消毒機本体に分離可能に接続した冷水ユニットを有し、
前記冷水ユニットは、前記冷水タンク、前記チラー、前記第１フィルタ、および、前記冷水タンク内の冷水を前記チラーを介して循環させる循環ポンプを備えている請求項１に記載のオゾン水消毒機。
【請求項３】
前記水温調整機構は、前記供給水の温度および前記冷水の温度に基づき、前記混合器における前記供給水と前記冷水の混合比を調節する制御部を備えている請求項１に記載のオゾン水消毒機。
【請求項４】
前記混合器はオゾンガスが供給されるオゾン水生成タンクである請求項１に記載のオゾン水消毒機。
【請求項５】
前記設定温度は２０℃である請求項１に記載のオゾン水消毒機。
【発明の詳細な説明】
【技術分野】
【０００１】
本発明は、オゾン水を用いて消毒槽に入れた消毒対象物の消毒処理を行うオゾン水消毒機に関する。更に詳しくは、オゾン水生成用の原水の温度を制御する水温調整機構を備えたオゾン水消毒機に関する。
【背景技術】
【０００２】
オゾン水消毒機としては、内視鏡を消毒する内視鏡殺菌装置が知られており、特許文献１に開示されている。ここに開示の内視鏡殺菌装置では、オゾン水生成ユニットに、水道水を原水として供給すると共に、オゾンガス生成ユニットで生成されたオゾンガスを供給して、所定濃度のオゾン水を生成している。生成されたオゾン水は、殺菌槽（消毒槽）に供給されて、内視鏡の殺菌処理に用いられる。
【先行技術文献】
【特許文献】
【０００３】
【特許文献１】特開２０１３−２００２７６号公報
【発明の概要】
【発明が解決しようとする課題】
【０００４】
ここで、従来の内視鏡殺菌装置等のオゾン水消毒機では、例えば、オゾン水濃度を０．５ｐｐｍ程度の一定濃度に維持した状態で、５分間程度の一定の処理時間で消毒処理を行っている。内視鏡等の医療機器類の消毒においては、高水準消毒と呼ばれる結核菌を死滅させることの可能な高い消毒効果が要求される場合がある。この場合には、オゾン濃度の高いオゾン水が必要になる。
【０００５】
オゾン水消毒機において使用するオゾン水のオゾン濃度を高めるためには、オゾン水生成ユニットにおいて原水に対するオゾンガスの注入時間を長くする必要がある。原水の温度が高い場合には、オゾンの溶解率が低下するので、所望のオゾン濃度が得られるまでに長時間を要してしまう。例えば、夏場には原水として使用している水道水の温度が高くなり、オゾンの溶解速度が低下し、オゾン濃度を上げるために長時間を要する。この結果、１回の消毒処理のための所要時間が長くなり、作業効率が大幅に低下する。
【０００６】
そこで、オゾンガス生成ユニットにおいて、オゾン水製造用の水タンクに原水を溜めた後に、チラー等の冷却機構を用いて、原水を冷却することが考えられる。この場合には、原水を冷却するために必要な時間分だけ消毒処理時間が長くなる。小容量の冷却機構では冷却時間が長くなるので望ましくない。大容量の冷却機構を用いる場合には、冷却時間が短縮化されるが、装置の大型化、高コスト化を招くので、やはり好ましくない。
【０００７】
本発明の課題は、このような点に鑑みて、効率良くオゾン水生成用の原水の温度を調整可能な水温調整機構を備えたオゾン水消毒機を提供することにある。
【課題を解決するための手段】
【０００８】
上記の課題を解決するために、本発明のオゾン水消毒機は、
オゾン水を用いて消毒対象物の消毒が行われる消毒槽と、
前記消毒槽に供給される前記オゾン水を生成するための原水を、設定温度以下に調整する水温調整機構と、
を有しており、
前記水温調整機構は、
前記設定温度よりも低温となるように冷却された冷水を貯留する冷水タンクと、
外部から供給される供給水と前記冷水タンクから供給される前記冷水を混合して、前記設定温度以下に調整された前記原水を生成する混合器と、
を備えていることを特徴としている。
【０００９】
本発明のオゾン水消毒機の水温調整機構は、冷水タンクに、設定温度よりも低温に調整された冷水を貯留する。外部から供給される水道水等の供給水が設定温度よりも高い場合には、冷水タンクに貯留してある冷水を供給水に混合して、設定温度に調整された原水を得ることができる。供給水の温度が設定温度に比べて大幅に高い場合には冷水の混合比率を多くし、供給水の温度が設定温度に対して僅かに高い場合には、冷水の混合比率を少なくすればよい。
【００１０】
外部から供給される供給水を、消毒に必要とされる水量分、チラーなどの冷却機構によって冷却して設定温度に調整する場合に比べて、設定温度に調整された必要量の原水を短時間で得ることができる。また、冷水タンクは、消毒に用いるオゾン水の必要量（消毒槽の容量）に比べて小容量のタンクで良い。よって、水温調整機構を設けたことに起因する装置の大型化、コスト高を抑制できる。さらには、設定温度に調整された原水、あるいは設定温度以下の供給水を原水として用いて、オゾン水が生成されるので、消毒槽内において、高温状態の高濃度オゾン水に晒されて、内視鏡等の消毒対象物に材料劣化が生じるおそれも回避できる。
【００１１】
また、本発明のオゾン水消毒機は、前記水温調整機構には、前記供給水を前記設定温度よりも低温となるように冷却して前記冷水を生成するチラーを配置する。さらに、前記冷水を生成するために用いる前記供給水をろ過する第１フィルタと、前記混合器に供給される前記供給水をろ過する第２フィルタとを配置し、前記第２フィルタは前記第１フィルタに比べて、ろ過能力を低くしておく（目の粗いフィルタを採用する）。
【００１２】
電源投入後から、あるいは、タイマ制御によって所定の時刻から、消毒処理が行われる前までの間に、所定量の冷水をチラーによって予め、生成しておくことができる。よって、時間を掛けて水道水等の供給水を冷却することができるので、小容量のチラーを配置すればよく、水温調整機構を設けたことに起因する装置の大型化、コスト高を抑制できる。また、第１フィルタは、冷水を生成するための供給水をろ過するためのものであり、冷水生成のための供給される供給水は、時間を掛けて小流量で供給すればよい。よって、ろ過能力が高く（目の細かく）、単位時間当たりの処理流量の小さな小容量のフィルタ、すなわち、小型のフィルタを用いる。これに対して、混合器に直接に供給される供給水は消毒処理前において、短時間の間に多量に流れるので、大容量（単位時間当たりの処理流量の大きな）のフィルタにする必要がある。この第２フィルタのろ過能力を高くする場合には、装置の大型化、コスト高を招く。本発明では、第２フィルタとして、目が粗く、ろ過能力の低いフィルタを用いている。したがって、当該第２フィルタとして、小型でありながら処理流量の大きなフィルタを採用できるので、装置の大型化、コスト高を抑制できる。ろ過能力を落としたことにより、供給水のろ過度が低下するが、混合器において、ろ過度の高い冷水と混合され、実用上支障のない水質の原水が得られる。例えば、混合比が１：１の場合には、混合器内で得られる原水の不純物濃度を、第２フィルタを介して混合器に供給された供給水の半分に減らすことができる。
【００１３】
前記水温調整機構には、前記供給水の温度および前記冷水の温度に基づき、前記混合器における前記供給水と前記冷水の混合比を調節する制御部を配置することができる。これにより、供給水および冷水の温度に応じて水温調整を精度良く行うことができる。
【００１４】
ここで、混合器を省略して、オゾンガスが供給されるオゾン水生成タンクを混合器として用いることができる。
【００１５】
この場合には、オゾン水生成タンクにおいて、供給水と冷水とが供給されて混合され、設定温度の原水が生成される。例えば、供給水を最初に所定量だけ入れ、次に冷水を追加して、温度を調整することができる。逆に、冷水を所定量だけ最初に入れ、次に供給水を入れて温度を調整することもできる。混合器を省略できるので、水温調整機構を設けたことに起因する装置の大型化、コスト高を抑制できる。
【００２０】
本発明において、オゾン水消毒機本体部に分離可能に接続した冷水ユニットを配置しておくことができる。この場合、冷水ユニットには、前記冷水タンク、前記チラー、前記第１フィルタ、および、前記冷水タンク内の冷水を、前記チラーを介して循環させる循環ポンプを配置しておくことができる。
【００２１】
本発明において、水温調整機構による設定温度は２０℃とすることができる。このようにすれば、消毒槽内において、高温状態の高濃度オゾン水に晒されて内視鏡等の消毒対象物に、材料劣化が生じることを抑制できる。
【図面の簡単な説明】
【００２２】
【図１】本発明を適用したオゾン水内視鏡消毒機の正面側の外観斜視図および背面側の外観斜視図である。
【図２】図１のオゾン水内視鏡消毒機の概略構成図である。
【図３】水温調整機構の別の構成例を示す説明図である。
【発明を実施するための形態】
【００２３】
以下に、図面を参照して、本発明の実施の形態を説明する。なお、以下の実施の形態は本発明のオゾン水消毒機を内視鏡を消毒するためのオゾン水内視鏡消毒機に適用したものである。本発明のオゾン水消毒機は内視鏡の消毒に限定されるものではなく、他の医療機器類、その他の器具の消毒にも適用可能なことは勿論である。
【００２４】
図１（ａ）は本実施の形態に係るオゾン水内視鏡消毒機を示す正面側の外観斜視図であり、図１（ｂ）はその背面側の外観斜視図である。図１（ｂ）においては、オゾン水内視鏡消毒機に外付けされている冷水ユニットおよびオゾン分解器の表示を省略してある。オゾン水内視鏡消毒機は、オゾン水を満たした消毒槽の内部に、消毒対象物である内視鏡を浸漬し、消毒槽内においてオゾン水を循環させると共に、オゾン水を内視鏡の内部を通して流すことにより、内視鏡の洗浄・消毒を行うものである。
【００２５】
図１を参照して説明すると、オゾン水内視鏡消毒機１は、例えば、全体として縦長の直方体形状の外装ケース２を備え、外装ケース２の上面に、後端縁を中心として上方に開けることのできる蓋３が取り付けられている。蓋３を開けると、外装ケース２の内部に配置されている消毒槽４が上方に開口し、消毒対象物である内視鏡５を、上方から消毒槽４に挿入して設置することが可能である。外装ケース２における消毒槽４の前面部分は透明な窓６となっており、前方から窓６を通して、消毒槽４内の状態を目視可能となっている。
【００２６】
外装ケース２の上面における蓋３の後側の部分には、操作入力・表示部としてのタッチパネル７が配置されている。タッチパネル７は、タッチパネル操作盤と状態表示用の液晶表示盤を兼用しており、当該タッチパネル７に表示された作業内容にタッチすることにより、消毒等の処理が実行され、液晶表示盤には現在の作業の進行状態等が表示される。タッチパネル７の側方には、消毒処理中に水が正常に流れているか否かを、目視により確認するための水流確認窓８が配置されている。
【００２７】
外装ケース２の背面の上側中央の部位には、電源スイッチ１１および電源インレット１２が並列配置されている。背面の上側部分における一方の端側の部位には、オゾン水生成のための原水として用いる水道水（供給水）を供給するための給水口１４が配置されている。給水口１４の下側には冷水供給口１５が配置されている。冷水供給口１５には、オゾン水生成のための原水の温度調整のために用いる冷水が、冷水ユニット１６から供給される。冷水ユニット１６は水道水を冷却して冷水を生成する。
【００２８】
外装ケース２の背面における他方の端側の部位には、オゾン生成のために用いる酸素が供給される酸素供給口１７が配置されている。酸素供給口１７には、酸素ボンベ（図２参照）あるいは、病院内等においては院内酸素配管から酸素が供給される。背面の下方の側の部分には、消毒処理に使用した後のオゾン水を排出するための排水口１８が配置されている。消毒処理終了後に排水口１８から排出されるオゾン水はオゾン分解器１９を介して排出される。また、外装ケース２の背面における排水口とは反対側の部位には、排気口２０が形成されており、消毒槽４から出るオゾンガスが内蔵のオゾン分解ユニット（図示せず）を介して分解されて酸素ガスとなって排出される。
【００２９】
図２は、オゾン水内視鏡消毒機１を中心に構成されるオゾン水内視鏡消毒システムの概略構成図である。オゾン水内視鏡消毒機１の内部には、内視鏡５の洗浄・消毒を行う消毒槽４が配置されている。消毒槽４には、オゾン水生成ユニット２１からオゾン水２２が供給される。例えば、２０リットルの所定濃度のオゾン水が供給される。
【００３０】
オゾン水生成用の原水は、外部から供給される供給水、通常は水道水２３が用いられる。水道水２３は、給水口１４からフィルタ２４および開閉弁２５を介して混合器２６に供給される。給水経路には、水道水２３の温度を検出するための水温計２７が取り付けられている。また、水道水２３は冷水ユニット１６に供給され、設定温度よりも低温、例えば５℃の冷水２８に冷却されて冷水ユニット１６に貯留される。冷水ユニット１６から必要に応じて開閉弁２９を介して冷水２８が混合器２６に供給される。
【００３１】
混合器２６では、水道水２３が設定温度よりも高い場合には、冷水ユニット１６から冷水２８を取り込み、水道水２３と冷水２８を混合して設定温度、例えば２０℃のオゾン水生成用の原水３０を生成する。生成された設定温度の原水３０は、オゾン水生成ユニット２１のオゾン水生成タンク２１ａに供給される。
【００３２】
一方、オゾン水生成用のオゾンガス３１は、オゾナイザ３２によって生成されて、オゾン水生成ユニット２１に供給される。オゾナイザ３２は、外部の酸素供給源である酸素ボンベ３３から酸素供給口１７を介して供給される酸素からオゾンガスを生成する。
【００３３】
オゾン水生成ユニット２１のオゾン水生成タンク２１ａは、消毒槽４と略同程度の容量、例えば２０リットルのタンクである。オゾン水生成タンク２１ａに、混合器２６から供給される設定温度の原水が溜まった後には、オゾナイザ３２からオゾンガス３１が原水３０に注入される。これにより、原水にオゾンが溶け込み、所定濃度のオゾン水２２が生成される。
【００３４】
オゾン水生成タンク２１ａ内へのオゾンガス３１の注入量（注入時間）を制御することにより、オゾン水生成タンク２１ａ内のオゾン水２２のオゾン濃度が所定濃度となるように制御できる。
【００３５】
オゾン水生成タンク２１ａ内に設定濃度のオゾン水２２が生成されると、オゾン水２２は、オゾン水供給管３４および供給ポンプ３５を介して、消毒槽４に供給される。消毒槽４内には、予め、消毒対象物である内視鏡５が消毒槽４内のオゾン水２２に浸漬した状態にセットされる。
【００３６】
消毒処理においては、循環用配管３６および循環ポンプ３７を介して、消毒槽４内のオゾン水２２を循環させながら、内視鏡５の洗浄・消毒を行う。なお、図示は省略してあるが、内視鏡５の内部にオゾン水２２を通すために、内視鏡５の送気送水口、鉗子口にチューブを接続し、これらのチューブを介して内視鏡５の内部を通してオゾン水が流れる。
【００３７】
消毒槽４を循環するオゾン水の濃度は、循環用配管３６に取り付けたオゾン水濃度計３８によって測定される。測定されたオゾン水２２の濃度が設定濃度よりも低い場合には、オゾナイザ３２から、オゾンガス供給用分岐管３９を介して、オゾンガス３１を供給する。これにより、オゾン水２２のオゾン濃度が設定濃度に維持される。また、消毒処理中において消毒槽４から排出されるオゾンガスは、オゾン分解ユニット４１を介して分解されて、酸素ガスとなって排気口２０から外部に排出される。
【００３８】
消毒処理が終了した後は、消毒槽４のオゾン水２２は、排水管４２およびオゾン分解器１９を介して所定の排水配管４３に排出可能となっている。オゾン分解器１９は、活性炭等のオゾン分解物が充填されており、排出されるオゾン水に含まれているオゾンを分解する。
【００３９】
ここで、上記の各部の駆動制御は、消毒機制御ユニット５０により行われる。例えば、消毒機制御ユニット５０はマイクロコンピュータを中心に構成されており、予めインストールされているプログラムを実行することにより、各部を駆動制御して、各種の動作を行わせる。
【００４０】
制御ユニット５０は濃度制御部５０ａ、水温制御部５０ｂ、時間制御部５０ｃ等として機能する。濃度制御部５０ａは、消毒槽４内のオゾン水２２のオゾン濃度を、デフォルト値あるいはタッチパネル７から設定入力された設定濃度となるように維持する制御動作を行う。水温制御部５０ｂは、混合器２６で生成される原水３０の温度を、デフォルト値あるいはタッチパネル７から設定入力された設定温度、例えば、２０℃に調整する制御動作を行う。時間制御部５０ｃは、消毒槽４内でのオゾン水２２による消毒処理の時間を、デフォルト値あるいはタッチパネル７から設定入力された設定時間となるように制御する。
【００４１】
次に、冷水ユニット１６は、本例では、オゾン水内視鏡消毒機１（オゾン水消毒機本体）に外付けされるユニットであり、必要に応じて接続して使用可能である。冷水ユニット１６をオゾン水内視鏡消毒機１の内部に組み込むことも可能である。冷水ユニット１６は冷水タンク６１を備え、ここには、オゾン水生成用の原水として、水道水２３が給水管６２およびフィルタ６３（第１フィルタ）を介して供給される。冷水タンク６１に貯留した原水を、循環ポンプ６４によって、チラー６５を介して循環させることにより、設定温度よりも低温、例えば５℃の冷水２８が冷水タンク６１内に得られる。
【００４２】
冷水ユニット１６は制御部６６を備えている。制御部６６は消毒機制御ユニット５０と連動して動作する。制御部６６は、冷水タンク６１に取り付けた液面センサ６７に基づき貯留水量を一定に制御可能である。また、冷水タンク６１に取り付けた水温計６８の測定
値に基づき、冷水タンク６１内の冷水２８の水温を所定の温度、例えば５℃に制御可能である。冷水タンク６１は、オゾン水生成タンク２１ａに比べて小容量のタンクであり、例えば、１０リットルである。
【００４３】
ここで、本例のオゾン水内視鏡消毒機１においては、直接に混合器２６に供給される水道水をろ過するためのフィルタ２４（第２フィルタ）および、冷水生成用の水道水２３をろ過するためのフィルタ６３（第１フィルタ）として、ろ過能力および容量が異なるフィルタが使用されている。具体的には、冷水を生成するために用いるフィルタ６３は、小容量で、ろ過能力の高いフィルタである。他方のフィルタ２４は、フィルタ６３に比べてろ過能力が低いフィルタである。
【００４４】
フィルタ６３は、冷水２８を生成するために水道水２３をろ過するものであり、水道水２３を、時間を掛けて小流量でろ過すればよい。よって、当該フィルタ６３のろ過能力を高くしても（目を細かくしても）、単位時間当たりの処理流量が小さくて済むので、当該フィルタ６３として、処理流量の小さい小型のフィルタを用いることができる。
【００４５】
これに対して、混合器２６に直接に供給される水道水２３は、消毒処理前の短時間の間に大流量で流れるので、単位時間当たりの処理流量の大きな大容量のフィルタにする必要がある。このフィルタ２４として、目が細かく、ろ過能力の高いフィルタを使用すると、その処理流量を確保するために大型にする必要があるので、装置の大型化、コスト高を招く。本例のフィルタ２４は、目が粗く、ろ過能力が低い。したがって、フィルタ２４として目が細かく、ろ過能力の高いフィルタを用いる場合に比べて、当該フィルタ２４を小型にできるので、装置の大型化、コスト高を抑制できる。
【００４６】
なお、ろ過能力を落としたことにより、フィルタ２４を介して供給される水道水２３の水質が低下するが、混合器２６において、水質の高い冷水２８と混合されるので、実用上支障のない水質の原水が得られる。例えば、混合比が１：１の場合には、混合器２６内で得られる原水の不純物濃度を、フィルタ２４を介して混合器２６に供給された水道水２３の半分に減らすことができる。
【００４７】
（動作モード例）
上記構成のオゾン水内視鏡消毒機１を高水準消毒機として用いて結核菌を消毒できるようにする場合には、消毒機制御ユニット５０の制御の下に、例えば、次の動作モードによって各部が動作する。
【００４８】
例えば、消毒条件は、結核菌を消毒できるように、オゾン水濃度が３ｐｐｍ、処理時間が５分とされる。また、設定温度が２０℃とされる。オゾン水内視鏡消毒機１に取り付けられている冷水ユニット１６は、例えば、電源スイッチ１１がオンされると、冷水生成動作を開始して、冷水タンク６１に例えば５℃の冷水を所定量だけ溜める。
【００４９】
消毒処理の指令が入力されると、消毒機制御ユニット５０は開閉弁２５を開き、オゾン水生成用の原水として、温度調整されていない水道水２３を、フィルタ２４を介して、混合器２６に取り込む動作を開始する。また、水温計２７によって検出される水道水２３の温度に基づき、冷水ユニット１６からの冷水２８の取り込み量を制御する。
【００５０】
夏場等のように、水道水２３の水温が設定温度（２０℃）よりも大幅に高い場合には、開閉弁２９を制御して、水道水２３に対する冷水２８の混合比を多くする。これに対して、水道水２３の水温が設定温度に対して僅かに高い場合には、水道水２３に対する冷水２８の混合比を少なくする。また、冬場等のように、水道水２３の水温が２０℃を下回る場合には、冷水２８の取り込みは行わない。
【００５１】
混合器２６において生成された設定温度の原水３０はオゾン水生成ユニット２１のオゾン水生成タンク２１ａに供給される。例えば、オゾン水生成タンク２１ａ内に所定量の原水３０が溜まった時点から、オゾナイザ３２によって生成されるオゾンガス３１をオゾン水生成タンク２１ａ内に取り込み、原水３０にオゾンガスを溶解させて、オゾン水２２を生成する動作を行う。オゾンガス３１の注入量（注入時間）を制御することにより、オゾン水生成タンク２１ａ内のオゾン水２２の濃度を、設定濃度である３ｐｐｍ前後となるように制御することができる。
【００５２】
設定濃度のオゾン水２２が所定量生成された後は、消毒機制御ユニット５０は、オゾン水２２を、消毒対象の内視鏡５がセットされている消毒槽４に供給する。消毒槽４の側においては、循環ポンプ３７を駆動してオゾン水２２の循環を開始する。オゾン水濃度計３８によって計測されるオゾン水濃度が３ｐｐｍ未満の場合には、オゾナイザ３２からオゾンガス３１を消毒槽４に導入して、オゾン濃度を、設定濃度となるように調整する。オゾン濃度が３ｐｐｍに達した状態で、設定された消毒時間（５分）に亘って、内視鏡５の消毒処理が行われる。
【００５３】
内蔵タイマ等によって消毒時間５分が経過したことが検出されると、消毒処理を終了して、オゾン水２２を消毒槽４から排出する排出動作を行う。
【００５４】
なお、消毒条件として、３ｐｐｍよりも低いオゾン濃度が設定され、水温として２０℃よりも低い温度が設定された場合には、設定水温の原水３０が混合器２６において生成されてオゾン水生成タンク２１ａに供給され、オゾン水生成タンク２１ａ内において、設定濃度、設定水温のオゾン水２２が生成される。
【００５５】
また、上記の例では、消毒処理がスタートしてからオゾン水生成タンク２１ａに原水を貯める動作を開始しているが、処理時間の短縮を図るためには、工程の前倒しを行うことが望ましい。例えば、次の手順のように動作制御を行うことが望ましい。
ａ）例えば、朝、電源を入れると、オゾン水内視鏡消毒機１は冷水２８を作り始める。
ｂ）冷水２８が所定量出来たら、混合器２６において所定温度の原水を生成し、原水をオゾン水生成タンク２１ａに供給して、オゾン水を作り始める。これに並行して、冷水タンク６１に水道水を供給して、次のオゾン水製造のための冷水２８を作り始める。
ｃ）消毒処理ボタンを押すと、あらかじめオゾン水生成タンク２１ａに作っておいたオゾン水２２を消毒槽４に供給し、オゾン水による消毒を直ぐに開始する。これに並行して、オゾン水生成タンク２１ａでは、原水３０の供給が開始され、次の消毒のためのオゾン水を作り始める。同時に、冷水ユニット１６では、冷水タンク６１に水道水の供給が開始され、次のオゾン水製造のための冷水２８を作り始める。
【００５６】
以上説明したように、オゾン水内視鏡消毒機１には、オゾン水の水温調整機構が備わっている。夏場等において原水として用いる水道水２３の温度が高い場合に、水道水２３を例えば２０℃以下に下げることができる。この結果、高水準消毒に必要な高濃度のオゾン水を、温度の高い水道水を用いて生成する場合に比べて、短時間で生成できる。よって、内視鏡等の医療器具の高水準消毒を、処理時間を大幅に長くすることなく、効率良く行うことが可能になる。
【００５７】
また、水温制御部５０ｂは、オゾン水の温度を２０℃に制御している。これにより、高温状態の高濃度オゾン水に晒されて消毒対象物に材料劣化が生ずることを抑制できる。
【００５８】
さらに、冷水ユニット１６においては、予め、冷水タンク６１内に、設定温度よりも低温に冷却された冷水２８を貯留するようにしている。また、混合器２６内において、温度
制御されていない水道水２３と冷水２８を混合させることにより、生成されるオゾン水２２の温度を設定温度となるように制御している。予め用意しておいた冷水２８を用いることにより、原水３０の温度制御、したがって、生成されるオゾン水２２の温度制御を短時間で効率良く行うことができる。
【００５９】
（水温調整機構の別の例）
図３は水温調整機構の別の構成例を示す説明図である。この図においては、図２に示す構成と相違する部分のみを示し、それ以外の同一構成の部分の表示は省略してある。
【００６０】
この図に示す原水の水温調整機構では、混合器を省略し、水道水２３と冷水２８を直接に、オゾン水生成ユニット２１のオゾン水生成タンク２１ａに供給している。これ以外の部分は図２の場合と同一構成であるので、図２の各部に対応する部位には同一の符号を付してある。
【００６１】
この場合には、オゾン水生成タンク２１ａにおいて、水道水２３と冷水２８とが混合され、設定温度の原水が生成される。例えば、水道水２３の温度が設定温度よりも高い場合には、最初に水道水２３を所定量だけ入れる。次に、冷水２８を追加して、温度を調整する。逆に、最初に冷水２８を所定量だけ入れ、次に水道水２３を入れて温度を調整することもできる。
【００６２】
（その他の実施の形態）
なお、上記の実施の形態では、消毒槽４内に供給されたオゾン水２２の温度を直接には制御していない。一般的に、オゾン水内視鏡消毒機１は院内等の環境温度が一定に保持される場所で使用される場合が殆どであり、消毒槽４に供給されたオゾン水温度が大幅に変動する可能性が極めて低い。よって、原水の温度を管理すれば、実質的に消毒槽４内のオゾン水温度を管理できる。勿論、消毒槽４内において直接に水温計等によって温度を検出して、温度制御を行うようにすることも可能である。
【符号の説明】
【００６３】
１  オゾン水内視鏡消毒機、２  外装ケース、３  蓋、４  消毒槽、５  内視鏡、６  窓、７  タッチパネル、８  水流確認窓、１１  電源スイッチ、１２  電源インレット、１４  給水口、１５  冷水供給口、１６  冷水ユニット、１７  酸素供給口、１８  排水口、１９  オゾン分解器、２０  排気口、２１  オゾン水生成ユニット、２１ａ  オゾン水生成タンク、２２  オゾン水、２３  水道水、２４  フィルタ、２５  開閉弁、２６  混合器、２７  水温計、２８  冷水、３０  原水、３１  オゾンガス、３２  オゾナイザ、３３  酸素ボンベ、３４  オゾン水供給管、３５  供給ポンプ、３６  循環用配管、３７
循環ポンプ、３８  オゾン水濃度計、３９  オゾンガス供給用分岐管、４１  オゾン分解ユニット、４３  排水配管、５０  消毒機制御ユニット、５０ａ  濃度制御部、５０ｂ
水温制御部、５０ｃ  時間制御部、６１  冷水タンク、６２  給水管、６３  フィルタ、６４  循環ポンプ、６５  チラー、６６  制御部、６７  液面センサ、６８  水温計
【図１】
0006422767.tif 000002
【図２】
0006422767.tif 000003
【図３】
0006422767.tif 000004